(57)【要約】【課題】モバイルバッテリーの重量による偏荷重が人体頭部の側頭部に加わりにくくなるＶＲヘッドセット用モバイルバッテリーホルダーを提供する。【解決手段】モバイルバッテリーホルダー１０は、ＶＲヘッドセット１００の横バンド１２０に装着するようになっている。モバイルバッテリーＢを保持するホルダー本体２０と、横バンド１２０と上バンド１３０との連結箇所Ｃを挟む両側の２箇所で横バンド１２０に着脱可能な一対一組の取付けベルト４０，４０と、を有する。取付けベルト４０は、表面と裏面とが面状ファスナー機構の作用で着脱可能である。ホルダー本体２０が人体頭部２００の後頭部２２０に対峙される凹入状の湾曲面３１を備えている。【選択図】図６
0003230312.tif 000002
【実用新案登録請求の範囲】
【請求項１】
人体頭部の左右の側頭部から後頭部に亘って配備される横バンドとこの横バンドに連結されて上記後頭部から頭頂部を経て前頭部に亘って配備される上バンドとを有するＶＲヘッドセット本体の上記横バンドに装着されるＶＲヘッドセット用モバイルバッテリーホルダーであって、
モバイルバッテリーを保持するホルダー本体と、このホルダー本体に装備されて、横バンドと上バンドとの連結箇所を挟む両側の２箇所で横バンドに着脱可能な一対一組の取付けベルトと、を有することを特徴とするＶＲヘッドセット用モバイルバッテリーホルダー。
【請求項２】
上記取付けベルトが、上記横バンドに巻き付け姿勢で装着可能である請求項１に記載したＶＲヘッドセット用モバイルバッテリーホルダー。
【請求項３】
上記取付けベルトが、その表面と裏面とに、互いに協働して着脱機構を構成する係着部とこの係着部の相手方である受部とを各別に備えている請求項１又は請求項２に記載したＶＲヘッドセット用モバイルバッテリーホルダー。
【請求項４】
一対一組の上記取付けベルトのそれぞれの取付けベルトが、上記ホルダー本体の左右２箇所に形成された隙間空間に各別に挿通されていると共に、上記ホルダー本体が上記後頭部に対峙される左右方向横長の凹入状の湾曲面を備えている請求項１ないし請求項３のいずれか１項に記載したＶＲヘッドセット用モバイルバッテリーホルダー。
【考案の詳細な説明】
【技術分野】
【０００１】
本考案は、ＶＲヘッドセット用モバイルバッテリーホルダーに関する。さらに詳しくは、人体頭部に装着されるＶＲヘッドセットに、その稼働時間を延長させることに役立つモバイルバッテリーを装備させることのできるモバイルバッテリーホルダーに関する。なお、本考案でＶＲヘッドセットとはヘッドマウントディスプレイやＶＲゴーグルを含むものとする。
【背景技術】
【０００２】
ＶＲ（バーチャルリアリティ）ヘッドセットは、表面的には現実ではないけれども実体験に近い体験が得られるツールとして知られている。この種のＶＲヘッドセットには、稼働用電力を内蔵バッテリーによって得ることができるようになっているものや、別途大容量のモバイルバッテリーを接続して稼働可能時間を延長させることができるようになっているものなどがある。このうち、モバイルバッテリーを接続して使用することができるＶＲヘッドセットでは、モバイルバッテリーをＶＲヘッドセットに備わっているヘッドバンドに装着することによって利便性を高めていることが多い。
【０００３】
先行例（特許文献１）には、医療用ＶＲプレパレーションツールに関し、ＶＲプレパレーションツールが、ツール本体と、患者の顔面に当接する人体当接部と、ツール本体の左右に接続されて患者の頭部にツール本体を固定する装着用バンドと、装着用バンドの補助を行う補助バンド、などを備えているものについての記述がある。
【０００４】
また、医療用ＶＲプレパレーションツールに限らず、医療用以外の他の分野で使用される一般的なＶＲヘッドセットにおいても、ゴーグルタイプのＶＲヘッドセット本体に横バンドと上バンドとを具備させ、これらの横バンドと上バンドとを利用してＶＲヘッドセットを人体頭部に装着するようにしたものが知られている。そして、このものでは、ＶＲヘッドセットの装着状態で、横バンドが、人体頭部の左右の側頭部から後頭部に亘って配備され、上バンドが、横バンドに連結されて後頭部から頭頂部を経て前頭部に亘って配備されるようになっている。
【０００５】
一方、従来では、モバイルバッテリーを、ＶＲヘッドセットの横バンドを利用して人体の片耳の近くに装備させるものが知られていた。
【先行技術文献】
【特許文献】
【０００６】
【特許文献１】特開２０１７−１８９５９１号公報（００４６、図４）
【考案の概要】
【考案が解決しようとする課題】
【０００７】
しかしながら、モバイルバッテリーは重量が比較的重く、従来のようにＶＲヘッドセットの横バンドを利用して人体の片耳の近くに重量の重いモバイルバッテリーを装備させると、モバイルバッテリーの重量による荷重が人体頭部の左側又は右側だけに偏荷重として加わり、使用時間、特に長時間の使用によっては使用者が顕著に疲労しやすくなることが懸念される。
【０００８】
本考案は以上の状況に鑑みてなされたものであり、横バンドと上バンドとを利用してＶＲヘッドセット本体を人体頭部に装着するようになっているＶＲヘッドセットを使用対象とし、モバイルバッテリーを装備させても人体頭部の側頭部にモバイルバッテリーの重量による偏荷重が加わりにくくなるＶＲヘッドセット用モバイルバッテリーホルダーを提供することを目的とする。
【０００９】
また、本考案は、ＶＲヘッドセットに対する着脱を容易に行うための対策や、モバイルバッテリーを使用することによる人体頭部への負担感を低減するための対策が講じられたＶＲヘッドセット用モバイルバッテリーホルダーを提供することを目的とする。
【課題を解決するための手段】
【００１０】
本考案に係るＶＲヘッドセット用モバイルバッテリーホルダーは、人体頭部の左右の側頭部から後頭部に亘って配備される横バンドとこの横バンドに連結されて上記後頭部から頭頂部を経て前頭部に亘って配備される上バンドとを有するＶＲヘッドセット本体の上記横バンドに装着されるＶＲヘッドセット用モバイルバッテリーホルダーであって、モバイルバッテリーを保持するホルダー本体と、このホルダー本体に装備されて、横バンドと上バンドとの連結箇所を挟む両側の２箇所で横バンドに着脱可能な一対一組の取付けベルトと、を有する、というものである。
【００１１】
このように構成されたモバイルバッテリーホルダーによると、ＶＲヘッドセットの横バンドに装着された当該モバイルバッテリーホルダーが人体頭部の後頭部に配備されるためにモバイルバッテリーの重量が後頭部だけに加わるようになる結果、人体頭部の左側又は右側だけの側頭部にモバイルバッテリーの重量が偏荷重として加わるという事態が回避され、使用時間、特に長時間の使用によっても使用者が疲労しやすくなるという懸念が解消される。また、モバイルバッテリーホルダーはＶＲヘッドセットの横バンドと上バンドとの連結箇所を挟む両側の２箇所で横バンドに取付けベルトにより装着されることで、モバイルバッテリーホルダーの横方向の移動は両側の取付けベルトが上バンドにあたることによって規制されるので、使用者が激しい動きをしても、モバイルバッテリーホルダーが横方向に位置ずれをおこすことが無い。
【００１２】
本考案では、上記取付けベルトが、上記横バンドに巻き付け姿勢で装着可能である、という構成を採用することが可能であり、これによれば、ＶＲヘッドセットに対するモバイルバッテリーホルダーを容易にかつ迅速に着脱することができるようになる。
【００１３】
本考案では、上記取付けベルトが、その表面と裏面とに、互いに協働して着脱機構を構成する係着部とこの係着部の相手方である受部とを各別に備えている、という構成を採用することが可能である。これによれば、横バンドと上バンドとの連結箇所を挟む両側の２箇所で横バンドに一対一組の取付けベルトを着脱するときに、それぞれの取付けベルトの表面と裏面とに各別に備わっている係着部と受部とでなる着脱機構を利用して取付けベルトを横バンドに巻き付けて装着したり横バンドから取り外したりすることが可能になる。着脱機構を構成する係着部やその相手方である受部には、たとえば、公知の面状ファスナーに採用されている微細なフック群やループ群、衣類などに多用されているフックの鈎形片や鈎受け片、衣類などに多用されているボタンの雄側突起や凹入状の雌側受け体、などを適宜採用することが可能である。
【００１４】
本考案では、一対一組の上記取付けベルトのそれぞれの取付けベルトが、上記ホルダー本体の左右２箇所に形成された隙間空間に各別に挿通されていると共に、上記ホルダー本体が上記後頭部に対峙される左右方向横長の凹入状の湾曲面を備えている、という構成を採用することが可能である。これによれば、横ベルトに一対一組の取付けベルトを装着している状態では、ホルダー本体の左右方向横長の凹入状の湾曲面が人体頭部の後頭部に対峙するために、後頭部にホルダー本体が当たっても、後頭部の局部に接圧感が集中しにくくなって人体頭部への負担感が低減される。また、ホルダー本体は、左右２箇所の隙間空間のそれぞれに挿通された取付けベルトを利用してＶＲヘッドセットの横ベルトに安定性よく装着されるようになる。
【考案の効果】
【００１５】
以上のように、本考案によると、モバイルバッテリーをＶＲヘッドセットに装着しても人体頭部の左側や右側だけの側頭部にモバイルバッテリーの重量による偏荷重が加わりにくくなるために、モバイルバッテリーを装備させたＶＲヘッドセットを使用しても、特に長時間に亘って使用しても、使用者にとっての疲労感が軽減される。また、ＶＲヘッドセットに対する着脱を容易に行うことが可能なＶＲヘッドセット用モバイルバッテリーホルダーを容易に提供することが可能になると共に、モバイルバッテリーを使用することによる人体頭部への負担感が低減されるＶＲヘッドセット用モバイルバッテリーホルダーを容易に提供することが可能になる。
【図面の簡単な説明】
【００１６】
【図１】モバイルバッテリーを保持させたモバイルバッテリーホルダーの概略斜視図である。
【図２】モバイルバッテリーホルダーの一部破断平面図である。
【図３】門形部材の概略斜視図である。
【図４】横バンドへの一対一組の取付けベルトの装着位置を示した斜視説明図である。
【図５】ＶＲヘッドセットを例示した概略斜視図である。
【図６】人体頭部へのＶＲヘッドセットの装着状態を示した平面視説明図である。
【考案を実施するための形態】
【００１７】
図１はモバイルバッテリー（以下、「バッテリー」という。）Ｂを保持させたモバイルバッテリーホルダー（以下、「ホルダー」という。）１０の概略斜視図、図２は同ホルダー１０の一部破断平面図、図３は門形部材２４の概略斜視図である。
【００１８】
図１又は図２に示したように、ホルダー１０は、ホルダー本体２０と一対一組の取付けベルト４０，４０とを有している。ホルダー本体２０は左右方向横長の外観を有していて、図２に示したように、ホルダー本体２０の左右２箇所の対称位置に上下方向に貫通する横幅の広いスリット状の隙間空間２１を有している。また、ホルダー本体２０の前面は、ホルダー本体２０のほぼ前横幅に亘る左右方向横長の凹入状の湾曲面３１として形成されている。さらに、ホルダー本体２０には、左右の各端部に設けられた第１係合爪２３，２３と、左右２箇所の対称位置にそれぞれ設けられた上下一対の脚形挟持片２５，２５と、これらの脚形挟持片２５，２５のそれぞれの先端縁に設けられた第２係合爪２６…とが備わっている。そして、ホルダー１０に保持されている直方体形状のバッテリーＢが、左右の上記第１係合爪２３，２３によって左右方向に挟持され、上下一対の脚形挟持片２５，２５によって左右２箇所で上下方向に挟持され、さらに、ホルダー本体２０の平坦な背面３２と左右２箇所に位置している上下１対ずつの上記第２係合爪２６…とによって前後方向に挟持されている。
【００１９】
上記した脚形挟持片２５及びその先端縁の第２係合爪２６は、図３に示した門形部材２４をホルダー本体２０に組み付けることによってホルダー本体２０に一体に具備されている。すなわち、門形部材２４が、両端部に上記脚形挟持片２５，２５を有する取付け片２７を備えていて、この取付け片２７を、図２のように、ホルダー本体２０のスリット状の隙間空間２１に嵌め込むことによって、脚形挟持片２５及びその先端縁の第２係合爪２６がホルダー本体２０に一体に具備されている。
【００２０】
一対一組の取付けベルト４０，４０のそれぞれは、上記した門形部材２４の取付け片２７に重ね合わされた状態で、ホルダー本体２０の左右２箇所のスリット状の上記隙間空間２１，２１に各別に挿通されている。この実施形態では、門形部材２４の取付け片２７及び取付けベルト４０をホルダー本体２０の隙間空間２１に組み付ける作業を容易に行うことを意図して、ホルダー本体２０を次のように構成している。すなわち、ホルダー本体２０の左右それぞれの端部に、隙間空間２１の形成箇所を起点としてその外側に延び出た弾性変形可能な肉薄の延出部３３を設け、この延出部３３の先端に上記第１係合爪２３を具備させてあると共に、上記隙間空間２１に通じる開口３４をホルダー本体２０に形成している。この構成を採用しておくと、延出部３３を図２の矢印Ｘのように前側に弾性変形させることにより開口３４を拡げた状態で、門形部材２４の取付け片２７や取付けベルト４０を、開口３４を通して隙間空間２１，２１に嵌め込むことが可能になるので、取付け片２７や取付けベルト４０をホルダー本体２０に組み付ける作業を容易に行うことができるようになる。取付け片２７や取付けベルト４０をホルダー本体２０から取り外すときには、延出部３３を図２の矢印Ｙのように前側に弾性変形させることによって第１係合爪２３をバッテリーＢから外した状態で、開口３４を通して取付け片２７や取付けベルト４０を引き出すことができる。また、この実施形態では、ホルダー本体２０に組み付けた門形部材２４の取付け片２７や取付けベルト４０が位置ずれしたりぐらついたりすることを防ぐことを意図して、隙間空間２１の左右方向の横幅寸法に、門形部材２４の取付け片２７の幅寸法や取付けベルト４０の幅寸法を合わせてあり、加えて、ホルダー本体２０に具備させた位置決め突起３５に、門形部材２４の取付け片２７に形成した位置決め孔部２８及び取付けベルト４０に形成した位置決め孔部４１を嵌め込んでいる。この構成を採用しておくと、ホルダー本体２０によってバッテリーＢがぐらつくことなく安定して保持される。
【００２１】
図４は横バンド１２０への一対一組の取付けベルト４０の装着位置を示した斜視説明図、図５は当該ホルダー１０が使用対象としているＶＲヘッドセット１００を例示した概略斜視図、図６は人体頭部２００にＶＲヘッドセット１００を装着した状態の平面視説明図である。
【００２２】
図５のように、当該ホルダー１０が使用対象としているＶＲヘッドセット１００は、ゴーグルタイプのＶＲヘッドセット本体１１０の左右の端部に横バンド１２０の両端部がそれぞれ連結され、また、ＶＲヘッドセット本体１１０上部中央部と横バンド１２０の長手方向中央部とに上バンド１３０の前後の端部がそれぞれ連結されていて、上バンド１３０と横バンド１２０との連結箇所Ｃでは、上バンド１３０に形成されているループ部１３１（図４参照）に横バンド１２０が挿通されている。ＶＲヘッドセット１００を、図６のように人体頭部２００に装着したときには、ＶＲヘッドセット本体１１０が顔面に配備され、横バンド１２０が左右の側頭部２１０，２１０から後頭部２２０に亘って配備され、上バンド１３０が後頭部２２０から頭頂部２３０を経て前頭部２４０に亘って配備される。
【００２３】
一方、バッテリーＢを保持しているホルダー本体２０は、一対一組の取付けベルト４０，４０を利用してＶＲヘッドセット１００の横バンド１２０に装着される。さらに具体的には、図４、図５又は図６に示したように、ＶＲヘッドセット１００の横バンドと上バンドとの連結箇所Ｃを挟む両側の２箇所で一対一組の取付けベルト４０，４０のそれぞれが横バンド１２０に巻き付け姿勢で装着されている。このようにして一対一組の取付けベルト４０，４０のそれぞれを横バンド１２０に巻き付けて装着することによって、ＶＲヘッドセット１００の横バンド１２０にホルダー１０が装着される。
【００２４】
この実施形態において、取付けベルト４０は、その表面と裏面とに、互いに協働して着脱機構を構成する係着部とこの係着部の相手方である受部とを各別に備えていて、表面側の係着部には公知の面状ファスナーに採用されている微細なフック群が採用され、裏面側の受部には微細なフック群の相手方となるループ群が採用されている。このため、取付けベルト４０を横バンド１２０に装着するときには、取付けベルト４０を横バンド１２０に巻き付けて図４のように一端側の表面に他端側の裏面を重ね合わせるだけで容易に装着される。取付けベルト４０を横バンド１２０から取り外すときには、取付けベルト４０の一端側の表面から他端側の裏面を引き剥がすだけで済む。なお、着脱機構を構成する係着部やその相手方である受部には、上記した面状ファスナーに採用されている微細なフック群やループ群に代えて、衣類などに多用されているフックの鈎形片や鈎受け片、衣類などに多用されているボタンの雄側突起や凹入状の雌側受け体、などを適宜採用することも可能である。
【００２５】
以上説明したホルダー１０によると、ＶＲヘッドセット１００の横バンド１２０に装着された当該ホルダー１０が、図６のように人体頭部２００の後頭部２２０に配備されるために、バッテリーＢの重量が後頭部２２０だけに加わるようになる。このため、人体頭部２００の左側又は右側だけの側頭部２１０にバッテリーＢの重量が偏荷重として加わるという事態が回避され、使用時間の長短にかかわらず、使用者の疲労感が軽減されて快適な使用感が得られる。また、ホルダー１０はＶＲヘッドセット１００の横バンド１２０と上バンド１３０との連結箇所を挟む両側の２箇所で横バンド１２０に取付けベルト４０，４０により装着されることで、ホルダー１０の横方向の移動は両側の取付けベルト４０，４０が上バンド１３０にあたることによって規制されるので、ホルダー１０が横方向に位置ずれをおこすことが無い。さらには、ホルダー本体２０の前面である左右方向横長の湾曲面３１が図６のように人体頭部２００の後頭部２２０に対峙するので、後頭部２２０にホルダー本体２０が当たっても、後頭部２２０の局部に接圧感が集中しにくくなって人体頭部２００への負担感が低減される。
【符号の説明】
【００２６】
１０  ホルダー（モバイルバッテリーホルダー）
２０  ホルダー本体
２１  隙間空間
３１  凹入状の湾曲面
４０  取付けベルト
１００  ＶＲヘッドセット
１１０  ＶＲヘッドセット本体
１２０  横バンド
１３０  上バンド
２００  人体頭部
２１０  側頭部
２２０  後頭部
２３０  頭頂部
２４０  前頭部
Ｂ  バッテリー（モバイルバッテリー）
Ｃ  横バンドと上バンドとの連結箇所
【図１】
0003230312.tif 000003
【図２】
0003230312.tif 000004
【図３】
0003230312.tif 000005
【図４】
0003230312.tif 000006
【図５】
0003230312.tif 000007
【図６】
0003230312.tif 000008